(57)【要約】      （修正有）【課題】高コスト化を伴うことなく、表示パネルを覆うフレームの連結を実現できる表示装置を提供する。【解決手段】表示パネルと、表示パネルの上辺に固定される上辺フレーム３と、表示パネルの右辺に固定される右辺フレーム４と、フレーム３、４の間に存在し、これらのフレームを連結するコーナーキャップ５を備える。コーナーキャップ５は、上辺フレーム３に挿入される挿入部と、右辺フレームに当接する傾斜面を有する。【選択図】図２０
2014202765.tif 000002
【特許請求の範囲】
【請求項１】
表示パネルと、
表示パネルの第１辺側に固定される第１フレームと、
表示パネルの前記第１辺と直交する第２辺側に固定される第２フレームと、
第１及び第２フレームの間に存在し、これらのフレームを連結する連結部材を備え、
連結部材は、
第１フレームに係合する係合部と、
第２フレームに当接する当接部を有する、表示装置。
【請求項２】
組立時には、
先に連結部材の前記係合部を第１フレームに挿入し、
次に第２フレームを、連結部材の前記当接部に当接させることにより、第１フレーム、第２フレームを連結する、請求項１に記載の表示装置。
【請求項３】
前記連結部材は、
第１及び第２フレームの連結状態において、各フレームの外面と連続する面を有する第１部分と、
前記第１係合部に挿入可能な第２部分と、
を有する、請求項１又は２に記載の表示装置。
【発明の詳細な説明】
【技術分野】
【０００１】
本開示は、プラズマディスプレイ、液晶ディスプレイ等の表示装置に関し、特に表示パネルを囲うフレームの連結に関する。
【背景技術】
【０００２】
出願人は、プラズマディスプレイ、液晶ディスプレイ等の表示装置を開発してきた。これらの表示装置では、表示パネルの周囲を覆うフレームを設けている。このフレームとしては、表示パネルの周囲を囲う枠状の単一フレームで構成したものと、表示パネルの４辺に対応させて４つのフレーム部材で構成したものがある。後者を採用した表示装置の場合、安全性や美観の点からフレーム同士を接合する必要がある。従来の表示装置では、各フレーム同士を溶接技術（例えばＦＳＷ工法）により接合していた。
【先行技術文献】
【特許文献】
【０００３】
【特許文献１】特開２００８−３２４７号公報
【特許文献２】特開平５−２３６３９８号公報
【発明の概要】
【発明が解決しようとする課題】
【０００４】
しかし、上述のＦＳＷ工法では、初期投資とコストが高くなるという問題がある。そこで、特許文献１のようにフレーム同士を直接勘合させる構造や、特許文献２のように、コーナー部材を介してフレーム同士を連結する構造を採用することが考えられる。
【０００５】
しかし、表示パネルを覆うためのフレームとしてアルミ製のものを用いた場合、特許文献１の方法ではコストが高価になる。アルミフレーム同士を直接勘合できる構造とするためには、アルミフレームの端部を単に成型するだけではなく、プレス加工やＣＮＣミルド加工を行う必要があるためである。
【０００６】
また、特許文献２の方法では、コーナー部材とフレーム部材の結合をネジ部材により行っている。そのため、ネジ頭が外部から露出する態様となっており、外観面で好ましくない。
【課題を解決するための手段】
【０００７】
本開示の表示装置は、表示パネルと、表示パネルの第１辺側に固定される金属製の第１フレームと、表示パネルの前記第１辺と直交する第２辺側に固定される金属製の第２フレームと、第１及び第２フレームを連結する樹脂製の連結部材を備え、連結部材は、第１フレームに係合する係合部と、第２フレームに当接する当接部が設けられている。
【発明の効果】
【０００８】
本開示によれば、高コスト化を伴うことなく、表示パネルを覆うフレームの連結を実現することができる。
【図面の簡単な説明】
【０００９】
【図１】表示装置１０の正面図である。
【図２】表示装置１０の側面図である。
【図３】表示装置１０を背面から見たときの分解斜視図である。
【図４】図３において、表示装置１０の右上部分を拡大した図である。
【図５】上辺フレーム３の右端部の背面図である。
【図６】上辺フレーム３の側方断面図であり、図５中のＡ−Ａ’線での矢視断面図である。
【図７】右辺フレーム４の上端部の背面図である。
【図８】右辺フレーム４の上方断面図であり、図７中のＢ−Ｂ’線での矢視断面図である。
【図９】コーナーキャップ５の斜視図である。
【図１０】コーナーキャップ５の背面図である。
【図１１】コーナーキャップ５の側面図である。
【図１２】コーナーキャップ５の側面図であり、図１１とは反対側から見たときの図である。
【図１３】コーナーキャップ５の上面図である。
【図１４】コーナーキャップ５の下面図である。
【図１５】コーナーキャップ５を上辺フレーム３に連結した状態を示す背面図である。
【図１６】コーナーキャップ５を上辺フレーム３に連結した状態を示す断面図であり、図１３中のＣ−Ｃ’線での矢視断面図である。
【図１７】コーナーキャップ５を上辺フレーム３に連結した状態を示す他の断面図であり、図１３中のＤ−Ｄ’線での矢視断面図である。
【図１８】コーナーキャップ５と右辺フレーム４の接続状態を示す背面図である。
【図１９】コーナーキャップ５と右辺フレーム４の接続状態を示す断面図であり、図１８中のＥ−Ｅ’線での矢視断面図である。
【図２０】上辺フレーム３及び４をコーナーキャップ５を用いて連結した状態を示す背面図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
〔１．構成〕
（表示装置１０の全体構造）
図１は、表示装置１０の正面図である。本明細書では、上から下に向かう方向をｘ方向、（表示装置１０を前面から見た場合において）左から右に向かう方向をｙ方向、手前から奥へ向かう方向をｚ方向と定義する。表示装置１０は、表示パネル１、表示パネル１の前面の周囲部（表示パネル１の非表示領域）及び側面を覆う前フレームを有する。
【００１３】
前フレームは、樹脂フレーム２と、金属フレームからなる。金属フレームは、表示パネル１の側面と前面の周囲部分を覆うものであり、表示パネル１の上辺側を覆う上辺フレーム３、右辺側を覆う右辺フレーム４、下辺側を覆う下辺フレーム８、及び左辺側を覆う左辺フレーム９の４つの部分に分かれている。
【００１４】
樹脂フレーム２は、上記４つの金属フレームの前面に対し、接着又はネジ止めにより固定される。金属フレームは表示パネル１の各辺に対応して４つに分かれているが、樹脂フレーム２はロ字型であり、一体的に形成されている。
【００１５】
各金属フレームはコーナーキャップ５により連結される。つまり、各金属フレームの間にコーナーキャップが挿入されることにより、フレーム同士がひと続きになるようにつなぎ合わせる（連結される）こととなる。このコーナーキャップ５の構造については後述する。また、本実施形態では表示パネル１はプラズマパネルとするが、これに代えて液晶パネル等、他のタイプの表示パネルであっても良い。
【００１６】
図２は、表示装置１０の側面図である。特に表示装置１０を右側面から見たときの図である。右辺フレーム４の側面部には、右辺フレーム４を表示パネル１のシャーシに固定するためのネジ穴４３３が複数個設けられている。表示パネル１の右側面には、ネジ穴４３３の各々に対応する位置に雌ネジ穴が設けられている。これにより、右辺フレーム４は表示パネル１に対しネジ止めすることができる。左辺フレーム９、上辺フレーム３、下辺フレーム８についても同様であり、各フレームには固定のためのネジ穴が設けられている。
【００１７】
また、右辺フレーム４の前面部の前面には樹脂フレーム２が接着されている。また、図１も参照して、樹脂フレーム２の枠幅は、金属フレームに対して大きくなっている。特に画面内側が大きくなっており、表示パネル１の非表示領域を覆うようになっている。従い、前面から表示装置１０を見る者にとっては、あたかも表示パネル１の周囲に樹脂フレーム２があり、更にその外側に金属フレーム（右辺フレーム４等）が存在するように見えることとなる。
【００１８】
図３は、表示装置１０を背面から見たときの分解斜視図である。同図に示すように、表示装置１０の背面側には表示パネル１を覆うバックカバー６が装着される。本実施形態では、バックカバー６は金属製とするが、これに代えて樹脂製であっても良い。
【００１９】
図４は、図３の拡大図であり、表示パネル１の右上部分を拡大した図である（左右方向に関しては、本明細書では一貫して、視聴者側、即ち前面側から見たときを基準として記述する）。同図に示すように、上辺フレーム３と右辺フレーム４はコーナーキャップ５を使用して連結される。また、上辺フレーム３は、上面３１１から背面側に延びるように形成された延長部３９を有し、この延長部３９には、上辺フレーム３を表示パネル１に対してネジ止めを行うためのネジ穴３９１が設けられている。また、同図では、上辺フレーム３の下側に樹脂フレーム２が表示されている。この図を見ると、一見、樹脂フレーム２が上辺フレーム３の背面側にあるように見えるが、実際には樹脂フレーム２は上辺フレーム３の（視聴者から見て）前面側にある。
【００２０】
以下、コーナーキャップ５を利用した上辺フレーム３と右辺フレーム４の連結構造について説明する。
【００２１】
（上辺フレーム３の構造）
図５、６を参照して、上辺フレーム３の構造を説明する。図５は、上辺フレーム３の右端部の背面図である。図６は、上辺フレーム３の側方断面図であり、図５中のＡ−Ａ’線での矢視断面図である。つまり、表示装置１０の端から内側に向かって見たときの図である。上辺フレーム３は、大きくは上部３１、下部３２及び係合部３３に分かれる。
【００２２】
図６を参照して、上辺フレーム３の上部３１は、前面側に上面３１１、傾斜面３１２、第１前面３１３を有する。面３１１、３１２、３１３は、表示装置１０の前面から視認することができる。また、上部３１の背面側には、凹部３１４、凸部３１５を有している。凹部３１４、凸部３１５は、表示装置１０を背面から覗いた場合に視認できる部分である。
【００２３】
上辺フレーム３の下部３２は、前面３２１、背面３２２を有する。前面３２１には、樹脂フレーム２が貼付される。また、背面３２２の背後には表示パネル１が位置する。従って、下部３２は外部から視認することができない。
【００２４】
また、係合部３３には、コーナーキャップ５が係合する。従い、表示装置１０の組み立て後の状態では、外部から視認することができない。なお、係合部３３は、詳細には、凹部３３１、凸部３３２、凹部３３３を有している。
【００２５】
図５を参照して、上辺フレーム３の下部３２の右端近傍は、あたかもパズルのピースのように凹凸に形成されている（この部分をパズル形状３８と呼ぶ）。即ち、パズル形状３８は、第１凸部３８１、第１凹部３８２、第２凸部３８３、及び第２凹部３８４により形成されている。第２凸部３８３は、第１凹部３８２と第２凹部３８４で囲まれるように形成され、第１凹部３８２は、第１凸部３８１と第２凸部３８３で囲まれるように形成される。これらの凹凸部分は、右辺フレーム４と連結させるために設けられている。
【００２６】
以上のように、上部３１は外部から視認できる部分であり、装飾的効果を醸し出すべく、局面状に構成されている。下部３２は、樹脂フレーム２や表示パネル１の間に介在する部分である。係合部３３にはコーナーキャップ５が係合する。また、図４で説明したとおり、上面延長部３９には、上辺フレーム３を表示パネル１に固定するためのネジ穴が設けられている。つまり、上辺フレーム３は、装飾効果、コーナーキャップ５との係合、及び樹脂フレーム２や表示パネル１との接続、といった機能を果たすものである。
【００２７】
（右辺フレーム４の構造）
図７、８を参照して、右辺フレーム４の構造を説明する。図７は、右辺フレーム４の上端部の背面図である。図８は、右辺フレーム４の上方断面図であり、図７中のＢ−Ｂ’線での矢視断面図である。右辺フレーム４は大きくは、側部４１、前部４２、背部４３を有する。
【００２８】
図８を参照して、右辺フレーム４の側部４１は、外側面４１１、傾斜面４１２、前面４１３を前面側に有する。これらの面は、表示装置１０の前面から視認可能である。また、側部４１は、更に裏面４１４、内面４１５を有する。これらの面は、表示装置１０の背面から視認可能である。
【００２９】
右辺フレーム４の前部４２は、前面４２１と背面４２２を有する。前面４２１には、樹脂フレーム２が貼付される。また、背面４２２の背後には液晶パネル１が位置する。従い、前部４２は外部から視認することができない。
【００３０】
右辺フレーム４の背部４３は、外側面４３１と内側面４３２を有する。背部４３には、図２で説明したネジ穴４３３が複数個設けられており、このネジ穴を利用して、右辺フレーム４が表示パネル１に対してネジ止めされる。つまり、外側面４３１の外側にはバックカバー６が、内側面４３２の内側には表示パネル１が位置することとなる。従い、背部４３は外部から視認することができない。
【００３１】
図７を参照して、右辺フレーム４の前部４２の上端近傍は、上辺フレーム３のパズル形状３８と同様、パズル形状４７が形成されている。即ち、パズル形状４７は、第１凹部４７１、第１凸部４７２、第２凹部４７３、及び第２凸部４７４が設けられている。第１凸部４７２は、第１凹部４７１と第２凹部４７３で囲まれるように形成され、第２凹部４７３は、第１凸部４７２と第２凸部４７４で囲まれるように形成される。このパズル形状４７は、上辺フレーム３のパズル形状３８に勘合するようにできている。つまり、上辺フレーム３の第１凸部３８１、第１凹部３８２、第２凸部３８３、及び第２凹部３８４は、そ
れぞれ右辺フレーム４の第１凹部４７１、第１凸部４７２、第２凹部４７３、及び第２凸部４７４と勘合する（図２０も参照）。
【００３２】
（コーナーキャップ５の構造）
図９〜１４を参照して、コーナーキャップ５の構造を説明する。図９は斜視図であり、図１０は背面図、図１１及び図１２は側面図、図１３は上面図、図１４は下面図である。これらの図において、方向はコーナーキャップ５が表示装置１０に取り付けられた状態を基準としている。
【００３３】
大きくは、コーナーキャップ５は、外縁部５１、連結部５２、及び挿入部５３に分かれる。本実施形態ではコーナーキャップ５は、生産性を考慮し樹脂製としている。
【００３４】
外縁部５１は、表示装置１０への取り付け後も外部から視認できる。外縁部５１の前曲面５１１は、上辺フレーム３の上面３１１や、右辺フレーム４の外側面４１１と連続する。別の言い方をすれば、仮にコーナーキャップ５が無いとすると、金属製の上辺フレーム３や右辺フレーム４の端部が露出した状態となる。この場合、外観上好ましくないし、また表示装置１０の利用者が指を怪我したりする恐れもある。そこで、美観性と安全性の両方の要求を満たす意味で、コーナーキャップ５の存在意義があるといえる。そして、特に美観性の観点から、外縁部５１の前曲面５１１は、上辺フレーム３の上面３１１や、右辺フレーム４の外側面４１１と連続するように形成される。また、金属材料で形成される上辺フレーム３や右辺フレーム４と外観を調和させるため、外縁部５１の前曲面５１１には、上辺フレーム３や右辺フレーム４と同じ色の塗料（例えばシルバー色）が塗布される。
【００３５】
挿入部５３は、コーナーキャップ５を上辺フレーム３に挿入させるため部分である。詳細には、本体部５３３と、第１凸部５３４、第２凸部５３５を有する。このうち、第１凸部５３４、第２凸部５３５は上辺フレーム３の係合部３３に挿入される部分である。即ち、コーナーキャップ５はネジ部材によって他の部材（金属フレームや表示パネル）に固定される訳ではなく、上辺フレーム３に挿入する一方、下方から右辺フレーム４で挟み込むことにより固定される構造となっている。これについては、図１６等を参照し、後述する。また、本体部５３３は、背面５３１及び下面５３２を有する。
【００３６】
連結部５２は、外縁部５１と挿入部５３を連結する部分である。連結部５２は、外縁部５１や挿入部５３と比較して厚み（奥行き方向の長さ）が小さくなっている。このような構成としているのは、材料コストの低減と、樹脂成型の容易性の両方の観点からである。連結部５２は、前面５２１、背面５２２、傾斜面５２３を有する。前面５２１は表示装置１０の前面側から視認でき、背面５２２は表示装置１０の背面側から視認できる。一方、傾斜面５２３は、右辺フレーム４の上端面と当接する部分であり、表示装置１０の外側から視認できない。
【００３７】
（コーナーキャップ５と上辺フレーム３の連結）
図１５〜１７を参照して、コーナーキャップ５を上辺フレーム３に連結した状態を説明する。図１５は、連結後の状態を示す背面図である。図１６は、図１５中のＣ−Ｃ’線での矢視断面図であり、表示装置１０の側方から内側へ向かって見た図である。図１７は、図１５中のＤ−Ｄ’線での矢視断面図であり、表示装置１０の内側から外へ向かって見た図である。
【００３８】
上述のように、コーナーキャップ５の挿入部５３が、上辺フレーム３の溝部３７に挿入されることで、コーナーキャップ５が上辺フレーム３に勘合する。詳細には、図１６及び１７を参照して、挿入部５３の第１凸部５３４が係合部３３の凹部３３１に挿入され、挿入部５３の第２凸部５３５が係合部３３の凹部３３３に挿入される。凹部３３１と、凹部
３３３は溝形状になっており、コーナーキャップ５の各凸部を、係合部３３の各凹部に沿って左方向（図１５でいうと右方向）にスライド移動させることで、コーナーキャップ５が完全に上辺フレーム３に係合することとなる。
【００３９】
（コーナーキャップ５と右辺フレーム４の関係）
図１８、１９を参照して、コーナーキャップ５と右辺フレーム４の関係を説明する。図１８は、接続した状態を示す背面図である。図１９は、図１８中のＥ−Ｅ’線での矢視断面図である。
【００４０】
コーナーキャップ５は、上辺フレーム３に対する場合とは異なり、右辺フレーム４に対しては係合しない。単にコーナーキャップ５の連結部５２の傾斜面５２３が、右辺フレーム４の上端面と当接するだけである。
【００４１】
（上辺フレーム３と右辺フレーム４を連結した状態）
図２０は、上辺フレーム３と右辺フレーム４を、コーナーキャップ５を用いて連結した後の状態を示す背面図である。
【００４２】
ここで、連結の手順を説明する。まず、コーナーキャップ５を上辺フレーム３に挿入する。この状態で、右辺フレーム４のパズル形状４７を、表示装置１０の背面側から、上辺フレーム３のパズル形状３８に勘合させる。つまり、上辺フレーム３の第１凸部３８１、第１凹部３８２、第２凸部３８３及び第２凹部３８４を、それぞれ右辺フレーム４の第１凹部４７１、第１凸部４７２、第２凹部４７３及び第２凸部４７４に勘合させる。これにより、上辺フレーム３と右辺フレーム４の連結が完了する。つまり、上辺フレーム３と右辺フレーム４が、ひと続きになるようにつなぎ合わせた状態（連結された状態）になる。また、右辺フレーム４で挟まれることにより、右方への移動が規制される。即ち、コーナーキャップ５は、金属フレームや表示パネル１などの他の部材に対し、ネジ止めすることなく固定されることとなる。
【００４３】
なお、コーナーキャップ５は、上辺フレーム３の係合部３３に勘合することで左方、上下、及び前後方向への移動が規制される。更に、コーナーキャップ５の傾斜面５２３が右辺フレーム４の上端面で押さえられた状態となっている。従ってコーナーキャップ５が上辺フレーム３から離脱することもなく、右方への移動も記載される。
【００４４】
また、上辺フレーム３と右辺フレーム４は共に表示パネル１に対してネジ止めされているから、前後方向に大きくずれる恐れもない。また、上辺フレーム３と右辺フレーム４はいずれも樹脂フレーム２に対し接着（接着剤や両面テープ等により接着）されており、これによっても上辺フレーム３と右辺フレーム４の位置ずれを防止している。
【００４５】
また、コーナーキャップ５の上辺フレーム３への挿入が不完全である場合、右辺フレーム４の上端部でコーナーキャップ５の傾斜面５２２を上方向に押すと、傾斜面５２２の傾斜効果によりコーナーキャップ５の挿入部５３が上辺フレーム３の係合部３３内で左方向にスライド移動する。これにより、コーナーキャップ５が上辺フレーム３に確実に挿入される。
【００４６】
以上にように、本実施形態の表示装置１０は、表示パネル１と、表示パネル１の上辺に固定される上辺フレーム３（第１フレーム）と、表示パネル１の右辺に固定される右辺フレーム４（第２フレーム）と、フレーム３、４の間に存在し、これらのフレームを連結するコーナーキャップ５（連結部材）を備える。コーナーキャップ５は、上辺フレーム３に挿入される挿入部５３（係合部）と、右辺フレームに当接する傾斜面５２３（当接部）を有する。
【００４７】
また、組み立て時において、先にコーナーキャップ５の挿入部５３を上辺フレーム３の係合部３３に挿入し、次に右辺フレーム４をコーナーキャップ５の傾斜面５２３に当接させることにより、上辺フレーム３、右辺フレーム４を連結する。  
【００４８】
また、コーナーキャップ５は、上辺フレーム３、右辺フレーム４の連結状態において、各フレームの外面と連続する面を有する外縁部５１（第１部分）と、第１フレームの係合部３３に挿入可能な挿入部５３（第２部分）を有する。
【００４９】
上記実施形態によれば、高コスト化を伴うことなく、表示パネルを覆うフレームの連結を実現することができる。つまり、従来のような溶接技術（ＦＳＷ工法など）を使用する場合等と比較して低コストで実現できる。また、安全面や美観面の要求も満たすことができる。
【００５０】
［２．むすび］
以上のように、本開示における技術の例示として、実施の形態を説明した。そのために、添付図面および詳細な説明を提供した。
【００５１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５２】
例えば、上記のコーナーキャップ５は、樹脂製に代えて、金属製であっても良い。表示パネル１はプラズマディスプレイパネルに代えて、液晶パネル、有機ＥＬパネル等であっても良い。
【００５３】
また、上記では、上辺フレーム３と右辺フレーム４の連結を例に説明した。他のフレーム同士の連結についても同様の構成及び方法で実現可能である。但し、上辺フレーム３と左辺フレーム９、或いは下辺フレーム８と右辺フレーム４の連結においては、コーナーキャップ５とは左右対称の形状を有するコーナーキャップを用いる必要がある。一方、左辺フレーム９と下辺フレーム８の連結においては、コーナーキャップ５をそのまま利用することができる。そうすることでコーナーキャップの品種を４種から２種へと削減をし、組立間違えを防いだり、コスト削減を実現したりすることができる。
【産業上の利用可能性】
【００５４】
本開示は、液晶テレビ、プラズマテレビの画像表示装置などに適用可能である。
【符号の説明】
【００５５】
１  表示パネル
２  樹脂フレーム
３  上辺フレーム
４  右辺フレーム
５  コーナーキャップ
６  バックカバー
８  下辺フレーム
９  左辺フレーム
１０  表示装置
【図１】
2014202765.tif 000003
【図２】
2014202765.tif 000004
【図３】
2014202765.tif 000005
【図４】
2014202765.tif 000006
【図５】
2014202765.tif 000007
【図６】
2014202765.tif 000008
【図７】
2014202765.tif 000009
【図８】
2014202765.tif 000010
【図９】
2014202765.tif 000011
【図１０】
2014202765.tif 000012
【図１１】
2014202765.tif 000013
【図１２】
2014202765.tif 000014
【図１３】
2014202765.tif 000015
【図１４】
2014202765.tif 000016
【図１５】
2014202765.tif 000017
【図１６】
2014202765.tif 000018
【図１７】
2014202765.tif 000019
【図１８】
2014202765.tif 000020
【図１９】
2014202765.tif 000021
【図２０】
2014202765.tif 000022